(57)【要約】【課題】ＩＤとパスワードとをキーボードで入力する煩わしさやセキュリティの問題のない携帯端末、ログイン支援システム、携帯端末の制御方法、携帯端末の制御プログラム、及び記録媒体を提供する。【解決手段】一度ログインすると、携帯端末がＵＲＬ、ＩＤ、及びパスワードを、セキュリティをかけて保存し、ユーザが再度ログインするときにＵＲＬからＩＤ及びパスワードを検索し、情報表示装置に表示させてユーザの認証を得た後ＩＤ及びパスワードを自動入力することにより、ＩＤとパスワードとをキーボードで入力する煩わしさがなくなり、かつセキュリティの問題もなくなる。【選択図】図１
2008097210.tif 000002
【特許請求の範囲】
【請求項１】
ＩＣカード認証に対応した携帯端末であって、
前記ＩＣカードの情報を読み取るＩＣカード読取装置と、
ログイン開始から終了まで一連の画面を表示する情報表示装置と、
ユーザがログインしたときのＵＲＬ、ＩＤ、及びパスワードを、セキュリティをかけて保存する情報記憶管理装置と、
前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力する制御手段とを備えたことを特徴とする携帯端末。
【請求項２】
バイオメトリクス認証装置を備えたことを特徴とする請求項１記載の携帯端末。
【請求項３】
ＩＣカードの情報を読み取るＩＣカード読取装置、ログイン開始から終了まで一連の画面を表示する情報表示装置、ユーザがログインしたときのＵＲＬ、ＩＤ、及びパスワードを、セキュリティをかけて保存する情報記憶管理装置、及び前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力する制御手段を有する携帯端末と、
前記携帯端末からの電波を授受する送受信装置と、
該送受信装置にインターネット網を介して接続されるパソコンと、
該パソコンに接続され前記ＩＣカードを読み取る他のＩＣカード読取装置とを備えたことを特徴とするログイン支援システム。
【請求項４】
前記携帯端末は、バイオメトリクス認証装置を備えたことを特徴とする請求項４または５記載のログイン支援システム。
【請求項５】
ＩＣカード認証に対応した携帯端末の制御方法であって、
前記ＩＣカードの情報を読み取り、ログイン開始から終了まで一連の画面を表示し、ユーザがログインしたときのＵＲＬ、ＩＤ、及びパスワードを、セキュリティをかけて保存し、前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力することを特徴とする携帯端末の制御方法。
【請求項６】
ＩＣカード認証に対応した携帯端末の制御プログラムであって、
前記携帯端末の実質的なコンピュータに前記ＩＣカードの情報を読み取らせる処理、
ログイン開始から終了まで一連の画面を表示する処理、
ユーザがログインしたときのＵＲＬ、ＩＤ、及びパスワードを、セキュリティをかけて保存する処理、
前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力する処理を実施させることを特徴とする携帯端末の制御プログラム。
【請求項７】
請求項６記載の制御プログラムを記録したことを特徴とする記録媒体。
【発明の詳細な説明】
【技術分野】
【０００１】
本発明は、携帯端末、ログイン支援システム、携帯端末の制御方法、携帯端末の制御プログラム、及び記録媒体に関する。
【背景技術】
【０００２】
図８は、従来のログイン入力の説明図である。
現在、図８に示すように社員１２０がＩＣカードからなる社員証１０２をＩＣカード読取装置１１０にかざしながらパスワードなどをＩＣカード読取装置１１０に手入力することが行われている。
【０００３】
また、パーソナルコンピュータ（以下「ＰＣ」という）のように携帯端末でフルブラウザからＷｅｂページを見ることができるようになっている。
【０００４】
しかし、Ｗｅｂページ内のメールを見るようなサイトやブログ（社会的な出来事や興味のある事柄に関して、個人的な意見や批評、解説を日記に近い形式で公開するＷｅｂサイト）を行うようなサイトのログイン開始画面はＰＣのキーボード入力を前提に作られており、ユーザが携帯端末からログインする際のＩＤやパスワードの入力は、携帯端末によるキー入力では、非常に煩雑であり、何度もログインする場合もあり非常に不便である。
【０００５】
また、クッキー（Cookie：Ｗｅｂサイトの提供者が、Ｗｅｂブラウザを通じて訪問者のコンピュータに一時的にデータを書き込んで保存させる仕組み）やオートコンプリート（キーボードからの入力を補助する機能の一種で、過去の入力履歴を参照して次の入力内容を予想し、予め表示すること）でユーザのログインＩＤ、パスワードを紐付けし、記憶しておく既存技術もあるが、他のユーザがそのサイトへ入ることが可能であるため、セキュリティに問題がある。
【０００６】
さらに、ネットワーク通信の際に、ＩＣカードＩＤを保持したＩＣカードを用いることが提案されている（例えば、特許文献１参照）。
この他、ＩＤとパスワードとをキーボードで入力する煩わしさを取り除くことを目的とするＩＤ・パスワード入力支援システム（例えば、特許文献２参照。）や、携帯端末において、複数のアプリケーション間で異なる認証情報の入力を、簡易かつセキュリティの問題なく行えるようにすることを目的とする電子機器などが提案されている（例えば、特許文献３参照。）。
【特許文献１】特開２００４−１０２８７９号公報
【特許文献２】特開２００３−３６２４７号公報
【特許文献３】特開２００６−５９２８０号公報
【発明の開示】
【発明が解決しようとする課題】
【０００７】
ところで、ＩＣカードＩＤは、利用者認証情報、利用者ＩＰｖ６アドレス及びＳＡ（Security Association：IPsec（IPsecurity protocol：ＴＣＰ／ＩＰ通信に、認証及び暗号化の機能を追加し、バケットの改竄やなりすまし、盗聴に対する対策をとったもの）を使用する際に、双方の当事者がIKE(Interne Key Exchange：インターネットで標準的に用いられている鍵交換プロトコル群の総称)を使用して取り決めた、認証や暗号化のアルゴリズムに関する情報の総称）からなるものであり、このため、ＩＣカードＩＤを送信することにより、ユーザ認証情報の送信と、ログイン処理のためのユーザＩＰｖ６（Internet Protocol version 6：ＩＰアドレスの不足を解消するために開発されたＩＰ(Internet Protocol)の新バージョン）アドレスの送信とを同時に行うことで、ユーザ認証により利用者の正当性を保証しつつ、ユーザ認証の手間を削減するが、ＩＰｖ６アドレスなどを保持したＩＣカードを持っていなければ利用できないというセキュリティ上の問題がある。
【０００８】
そこで、本発明の目的は、ＩＤとパスワードとをキーボードで入力する煩わしさやセキュリティの問題のない携帯端末、ログイン支援システム、携帯端末の制御方法、携帯端末の制御プログラム、及び記録媒体を提供することにある。
【課題を解決するための手段】
【０００９】
前記課題を解決するため、請求項１記載の発明は、ＩＣカード認証に対応した携帯端末であって、  前記ＩＣカードの情報を読み取るＩＣカード読取装置と、ログイン開始から終了まで一連の画面を表示する情報表示装置と、ユーザがログインしたときのＵＲＬ、ＩＤ、及びパスワードを、セキュリティをかけて保存する情報記憶管理装置と、前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力する制御手段とを備えたことを特徴とする。
ここで、「ＩＣカード認証に対応した携帯端末」とは、非接触ＩＣカードのデータを読み取ることが可能な携帯端末をいう。また、「情報表示装置」とは、通常の携帯端末に用いられる表示装置（例えば、液晶表示装置）をいう。
【００１０】
請求項１記載の発明によれば、一度ログインすると、携帯端末がＵＲＬ、ＩＤ、及びパスワードを、セキュリティをかけて保存し、ユーザが再度ログインするときにＵＲＬからＩＤ及びパスワードを検索し、情報表示装置に表示させてユーザの認証を得た後ＩＤ及びパスワードを自動入力することにより、ＩＤとパスワードとをキーボードで入力する煩わしさがなくなり、かつセキュリティの問題もなくなる。
【００１１】
請求項２記載の発明は、請求項１記載の発明において、バイオメトリクス認証装置を備えたことを特徴とする。
【００１２】
請求項２記載の発明によれば、バイオメトリクス認証装置を備えることにより、更にセキュリティの向上が図れる。
【００１３】
請求項３記載の発明は、ＩＣカードの情報を読み取るＩＣカード読取装置、ログイン開始から終了まで一連の画面を表示する情報表示装置、ユーザがログインしたときのＵＲＬ、ＩＤ、及びパスワードを、セキュリティをかけて保存する情報記憶管理装置、及び前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力する制御手段を有する携帯端末と、前記携帯端末からの電波を授受する送受信装置と、該送受信装置にインターネット網を介して接続されるパソコンと、該パソコンに接続され前記ＩＣカードを読み取る他のＩＣカード読取装置とを備えたことを特徴とする。
【００１４】
請求項３記載の発明によれば、一度ログインすると、携帯端末はＵＲＬ、ＩＤ、及びパスワードを、セキュリティをかけて保存し、ユーザが再度ログインするときにＵＲＬからＩＤ及びパスワードを検索し、情報表示装置に表示させてユーザの認証を得た後ＩＤ及びパスワードを自動入力することにより、ＩＤとパスワードとをキーボードで入力する煩わしさがなくなり、かつセキュリティの問題もなくなる。
【００１５】
請求項４記載の発明は、請求項３記載の発明において、前記携帯端末は、バイオメトリクス認証装置を備えたことを特徴とする。
【００１６】
請求項４記載の発明によれば、バイオメトリクス認証装置を備えることにより、さらにセキュリティの向上が図れる。
【００１７】
請求項５記載の発明は、ＩＣカード認証に対応した携帯端末の制御方法であって、前記ＩＣカードの情報を読み取り、ログイン開始から終了まで一連の画面を表示し、ユーザがログインしたときのＵＲＬ、ＩＤ、及びパスワードを、セキュリティをかけて保存し、前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力することを特徴とする。
【００１８】
請求項５記載の発明によれば、一度ログインすると、携帯端末がＵＲＬ、ＩＤ、及びパスワードを、セキュリティをかけて保存し、ユーザが再度ログインするときにＵＲＬからＩＤ及びパスワードを検索し、情報表示装置に表示させてユーザの認証を得た後ＩＤ及びパスワードを自動入力することにより、ＩＤとパスワードとをキーボードで入力する煩わしさがなくなり、かつセキュリティの問題もなくなる。
【００１９】
請求項６記載の発明は、ＩＣカード認証に対応した携帯端末の制御プログラムであって、前記携帯端末の実質的なコンピュータに前記ＩＣカードの情報を読み取らせる処理、ログイン開始から終了まで一連の画面を表示する処理、ユーザがログインしたときのＵＲＬ、ＩＤ、及びパスワードを、セキュリティをかけて保存する処理、前記ユーザが再度ログインするときに前記ＵＲＬから前記ＩＤ及び前記パスワードを検索し、前記情報表示装置に表示させて前記ユーザの認証を得た後前記ＩＤ及び前記パスワードを自動入力する処理を実施させることを特徴とする。
【００２０】
請求項６記載の発明によれば、上記制御プログラムを用いた携帯端末により、一度ログインするとＵＲＬ、ＩＤ、及びパスワードを、セキュリティをかけて保存し、ユーザが再度ログインするときにＵＲＬからＩＤ及びパスワードを検索し、情報表示装置に表示させてユーザの認証を得た後ＩＤ及びパスワードを自動入力することにより、ＩＤとパスワードとをキーボードで入力する煩わしさがなくなり、かつセキュリティの問題もなくなる。
【００２１】
請求項７記載の発明は、請求項６記載の制御プログラムを記録した記録媒体であることを特徴とする。
【００２２】
請求項７記載の発明によれば、上記記録媒体を用いた携帯端末により、一度ログインするとＵＲＬ、ＩＤ、及びパスワードを、セキュリティをかけて保存し、ユーザが再度ログインするときにＵＲＬからＩＤ及びパスワードを検索し、情報表示装置に表示させてユーザの認証を得た後ＩＤ及びパスワードを自動入力することにより、ＩＤとパスワードとをキーボードで入力する煩わしさがなくなり、かつセキュリティの問題もなくなる。
【００２３】
本発明に係る携帯端末を用いたログイン支援システムは、ＩＣカード認証を対応している携帯電話で、ユーザが、一度ログインした際に、ログインサイトのＵＲＬ、携帯電話の使用ＵＩＭカード、ログインユーザＩＤ及びパスワードを紐付けし携帯電話内に保持させる。ここで述べているＩＣカード認証とは、携帯電話内に非接触ＩＣカードを読み取る装置を持ち、非接触ＩＣカードを読み取る装置から社員証などの外部ＩＣカードをかざし、携帯端末パスワードなどの暗証入力の代わりに認証を行うシステムのことである。
【００２４】
すなわち、本発明に係るログイン支援システムは、再度、ユーザがログインする際に、ログインサイトのＵＲＬからどのユーザＩＤとパスワードなのかを検索し、ＩＣカード認証でユーザＩＤとパスワードをログイン画面に表示させて、携帯電話でフルブラウザを利用する時、ユーザがログインＩＤとパスワードをキー入力せずにログインさせるシステムである。
【００２５】
ログインＩＤ及びパスワードの携帯電話への登録については、ユーザがＩＤ、パスワードを入力しログインを開始するログイン開始画面から、ログインＩＤとパスワードを入力しログイン後、ポップアップ画面等でユーザに携帯電話に登録するかを知らせる。ユーザが了承した場合、携帯電話内にログインサイトのＵＲＬ、使用ＵＩＭカード情報、実際にユーザが入力したログインＩＤとパスワードを携帯電話内に紐付けし登録する。
【００２６】
また、ユーザが同じサイトへ再ログインする方法であるが、ログイン開始画面のＵＲＬを再表示した際に、ログインサイトのＵＲＬ、使用ＵＩＭカードから携帯端末装置内に登録したログインＩＤとパスワードを検索し、ＩＣカード認証完了後、ログインＩＤ，パスワードが入力される。
【００２７】
本発明に係るログイン支援システムは、ユーザが一度、ログインした場合、ログインサイトのＵＲＬ、携帯電話の使用ＵＩＭカード、ログインＩＤ及びパスワードを携帯端末内のセキュリティをかけた場所へ保存し、再度ログインする際に、ユーザがログインＩＤとパスワードのキー入力を行わないので、ユーザがパスワードの間違いを何度もしないでログインさせることを特徴としている。
尚、本発明は、「パスワード」や「ログインサイト（アプリケーション）」に接続した際に、「ＩＣカード認証にてログインを行うか否かのユーザインターフェースを表示し、「パスワード」や「ＩＤ」を手入力する代わりに、「ＩＣ認証（バイオメトリクス認証を含む）」にてログインを行うものである。また、本発明は、紐付けが「秘密のパスワード」ではなく「ＩＣカード（バイオメトリクス認証を含む）」を解除キーに利用するものである。
【発明の効果】
【００２８】
本発明によれば、一度ログインすると、携帯端末が、ＵＲＬ、ＩＤ、及びパスワードを、セキュリティをかけて保存し、ユーザが再度ログインするときにＵＲＬからＩＤ及びパスワードを検索し、情報表示装置に表示させてユーザの認証を得た後ＩＤ及びパスワードを自動入力することにより、ＩＤとパスワードとをキーボードで入力する煩わしさがなくなり、かつセキュリティの問題もなくなる。
【発明を実施するための最良の形態】
【００２９】
本発明に係るログイン支援システムの一実施の形態について説明する。
（構  成）
本発明に係る携帯端末を適用したログイン支援システムの一実施の形態を図１に示す。
図１に示すログイン支援システム１００は、ＩＣカード１０２とデータの授受が可能であって、本発明に係る携帯端末１０１と、携帯端末１０１とデータの授受が可能な送受信装置（例えば、携帯電話会社の送受信装置）１０３と、送受信装置１０３に接続されたインターネット網１０４と、インターネット網１０４に接続されたパソコン１０５と、パソコン１０５に接続されたＩＣカード読取装置１１０とで構成されている。
【００３０】
ＣＰＵ５０は、ＩＣカードの情報を読み取らせる処理、ログイン開始から終了まで一連の画面を表示する処理、ユーザがログインしたときのＵＲＬ、ＩＤ、及びパスワードを、セキュリティをかけて保存する処理、ユーザが再度ログインするときにＵＲＬからＩＤ及びパスワードを検索し、情報表示装置に表示させてユーザの認証を得た後ＩＤ及びパスワードを自動入力する処理を実施させるようになっており、この処理（制御プログラム）は、コンピュータに読み取り可能な記録媒体に記憶され、携帯端末の製造工程で記録媒体から所定のメモリに記録するようにしてもよい。
ここで、記録媒体としては、例えば、ＣＤ−ＲＯＭ（Compact Disc Read Only Memory）、フレキシブルディスク（ＦＤ）、ＣＤ−Ｒ（CD Recordable）、ＤＶＤ（Digital Versatile Disk）などのコンピュータで読み取り可能な記録媒体媒体、ＨＤＤ（Hard Disc Driver）、フラッシュメモリ、ＲＡＭ（Random Access Memory）、ＲＯＭ（Read Only Memory）、ＦｅＲＡＭ（強誘電体メモリ）等の半導体メモリが挙げられる。
【００３１】
図２は、本発明に係る携帯端末の構成図である。
同図において、携帯端末１０１は、情報表示装置２０と、情報記憶管理装置３０と、ＩＣカード１０２のデータを読み取るＩＣカード読取装置４０と、制御手段としてのＣＰＵ５０とで構成されている。尚、説明を簡単にするため、アンテナ、無線高周波部、ベースバンド部、カメラ、スピーカ、マイクロフォン、及びキー等は省略されている。
【００３２】
携帯端末装置１０１内の情報表示装置２０は、ユーザがログインサイトにてログインＩＤ、ログインパスワードを入力した際に、情報記憶管理装置３０へ登録保存をユーザが了承すると情報記憶管理装置３０へログインサイトのＵＲＬ、使用ＵＩＭカード、ログインＩＤとパスワードを紐付けして保存する。
【００３３】
ユーザは携帯端末装置１０１にて再度ログインを行う場合、情報表示装置２０から携帯端末装置１０１内に登録したログインＩＤ，パスワードを使用してログインを開始するポップアップを表示する。ユーザの了承を受けると情報記憶管理装置３０に登録されたログインサイトのＵＲＬ、使用ＵＩＭカードから、ログインＩＤとパスワードとを検索し、ＩＣカード読取装置４０にてＩＣカード認証後、ログインＩＤ、パスワードが入力される。
【００３４】
そして、携帯端末装置１０１内の情報表示装置２０はユーザがログインサイトにてログインＩＤ、ログインパスワードを入力した際に、情報記憶管理装置３０へ登録通知する。
図２に示した情報記憶管理装置への登録通知画面について図３に示す。
ログイン開始画面でＩＤ、パスワードをユーザが入力した後、ログインを開始し、ログインＩＤ、パスワードを携帯端末１０１に保存することをユーザが了承すると、情報記憶管理装置３０へログイン開始画面のＵＲＬ、使用ＵＩＭカード、ログインＩＤとパスワードを紐付けして保存する。
【００３５】
ユーザが携帯端末装置１０１にて再度ログインを行う場合、情報表示装置２０から携帯端末装置１０１内に登録したログインＩＤ、パスワードを使用してログインを開始する。
図２に示した情報表示装置２０から携帯端末装置１０１内に登録したログインＩＤ、パスワードを使用してログインを開始する画面について図４に示す。
ユーザがログイン開始画面を表示し、再ログインする場合、情報記憶管理装置３０に登録されたログイン開始画面のＵＲＬ、使用ＵＩＭカードから自動認証を行い、ログインＩＤとパスワードとを検索し、ＩＣカード読取装置４０にてＩＣカード認証後、ログインＩＤ、パスワードを入力させる。
【００３６】
図２に示した情報記憶管理装置３０に記憶されている記憶情報３０aを図５に示す。
情報記憶管理装置３０では、図５に示すように、記録情報３０aは、「レコードナンバー」、「ＩＣカード情報」、「ログインＵＲＬ」、「使用ＵＩＭ」、「ログインＩＤ」、及び「ログインパスワード」で構成されている。「ログインＵＲＬ」、「使用ＵＩＭ」、「ログインＩＤ」、及び「ログインパスワード」を情報記録管理装置３０（図２参照）に保存する場合、「レコードナンバー」をつけてこれらを紐付けして保存する。そのため検索を行う場合は、例えば、ログインＵＲＬから他の情報がわかるようになる。
【００３７】
（動作の説明）
以下、本実施形態の動作につき説明する。
携帯端末装置１０１によるユーザのログインＩＤ、パスワードを登録する場合について図６を用い、ユーザが登録したログインＩＤ、パスワードを利用する場合について図７を用いて説明する。
【００３８】
１）ログインＩＤ、パスワードの登録
ユーザは携帯端末装置１０１（図２参照）からログインサイト上で、ＩＤ、及びパスワードを入力すると、ＣＰＵ５０（図２参照）の指示によりログイン開始する（ステップＡ１）。
ログイン開始の際、情報表示装置２０（図２参照）は、ログイン開始画面、ＩＤ、及びパスワードを情報記憶管理装置３０（図２参照）に送信する（ステップＡ２）。
ＣＰＵ５０の指示により情報記憶管理装置３０は、ログイン開始中にログインＵＲＬ、ログインＩＤ、及びパスワードを一時登録（ステップＡ３）し、情報表示装置２０はログイン完了後（Ａ３）、「簡易入力設定」を表示し（ステップＡ４）、ユーザの了承が得られると（ステップＡ５）、情報記憶管理装置３０へログインサイトのＵＲＬ、使用ＵＩＭカード、ログインＩＤ及びパスワードを紐付けして保存（正式登録）する（ステップＡ９）。
上記データの保存（正式登録）が完了すると（ステップＡ１０）、ＣＰＵ５０の指示によりユーザに登録が完了した通知を情報表示装置２０に表示する（Ａ１１）。
【００３９】
一方、ＩＣカード読取装置４０は、ユーザ了承が得られると（ステップＡ５）、ＣＰＵ５０の指示により起動し（ステップＡ６）、ＩＣカード１０２がユーザによりＩＣカード読取装置４０にかざされると読み取りを実施する（ステップＡ７）。ＩＣカード読取装置４０は、ＩＣカード１０２の読み取りが完了すると（ステップＡ８）、ＣＰＵ５０の指示により前述の情報記憶管理装置３０がログインＵＲＬ、使用ＵＩＭ、ログインＩＤ、及びパスワード等のＩＣカード情報を登録する（ステップＡ９）。
【００４０】
２）再ログイン時におけるログインＩＤ、及びパスワードの利用
情報記憶管理装置３０（図２参照）は、ログインサイトのＵＲＬ、使用ＵＩＭカード、ログインＩＤ、及びパスワードを紐付けして保存しており（ステップＢ１）、ユーザは携帯端末装置１０１からログインサイトを表示し（ステップＢ２）、情報表示装置２０からログインサイトのＵＲＬを情報記憶管理装置３０へ送信する（ステップＢ３）。
ＣＰＵ５０の指示により情報記憶管理装置３０は、ログインサイトのＵＲＬ、使用ＵＩＭカードからログインＩＤとパスワードとを検索する（ステップＢ４）。
検索が完了すると（ステップＢ５）、ＣＰＵ５０の指示により情報表示装置２０は、ユーザにＩＤ及びパスワードを表示させるためのＩＣカード認証画面を表示し（ステップＢ６）、ＩＣカード読取装置４０に外部ＩＣカード起動命令を送信し（ステップＢ７）、ＩＣカード読取装置４０は起動する（ステップＢ８）。
【００４１】
ユーザがＩＣカード１０２をＩＣカード読取装置４０にかざすと、ＣＰＵ５０の指示によりＩＣカード読取装置４０は読み取りを実施する（ステップＢ９）。
ＩＣカード読取装置４０は読み取りを完了すると（ステップＢ１０）、ＣＰＵ５０の指示によりＩＣカード情報を情報記憶管理装置３０へ送信し（ステップＢ１１）、情報記憶管理装置３０は認証判定を実施する（ステップＢ１２）。ＣＰＵ５０の指示により情報記憶管理装置３０は、認証が完了すると情報表示装置２０に認証完了を通知し（ステップＢ１３）、情報表示装置２０は、ログインＩＤ、パスワードを表示する（ステップＢ１４）。
【００４２】
このように、本発明に係るログイン支援システムは、情報記憶管理装置３０に記憶しているログインサイトのＵＲＬ、使用ＵＩＭカードから検索し、ユーザのログインＩＤ、パスワードをＩＣカード認証にて入力するため、従来の携帯端末のフルブラウザからのＰＣのキーボード入力を前提にしたログインサイトでも、簡単にログインでき、また、ＷＥＢページにログインＩＤ，パスワードを入力させるためには、ＩＣカード認証が必要なためセキュリティが保持できる。
【００４３】
なお、上述した実施の形態は、本発明の好適な実施の形態の一例を示すものであり、本発明はそれに限定されることなく、その要旨を逸脱しない範囲内において、種々変形実施が可能である。例えば、指紋認証装置、目の虹彩（瞳のパターン）、声の声紋、顔の構成要素の位置関係、手の血管のパターン等のバイオメトリクス認証装置を携帯端末１０１もしくはＩＣカード読取装置１１０に備えてもよい。また、ユーザが登録サイトのログイン「パスワード」を変更し、再度パスワード入力した際には、ＵＩを再表示し、既に登録紐付けされた「ＩＤ」や「登録サイト」の「パスワード」を更新し再登録するようにしてもよい。
【００４４】
（効果の説明）
第１の効果は、ユーザがログインＩＤとパスワードをキー入力せずに再ログインすることができる点である。
【００４５】
第２の効果は、再ログイン時にセキュリティを保持したまま、ログインすることが可能となる点である。
【００４６】
第３の効果は、携帯電話のセキュリティ認証を持つことにより、ＩＣカード認証以外でも認証できる点である。
【図面の簡単な説明】
【００４７】
【図１】本発明に係る携帯端末を適用したログイン支援システムの一実施の形態を示す図である。
【図２】本発明に係る携帯端末の構成図である。
【図３】図２に示した情報記憶管理装置への登録通知画面である。
【図４】図２に示した情報表示装置２０から携帯端末装置１０１内に登録したログインＩＤ、パスワードを使用してログインを開始する画面である。
【図５】図２に示した情報記憶管理装置３０に記憶されている記憶情報３０aである。
【図６】携帯端末装置１０１によるユーザのログインＩＤ、パスワードを登録する場合についての説明図である。
【図７】ユーザが登録したログインＩＤ、パスワードを利用する場合についての説明図である。
【図８】従来のログイン入力の説明図である。
【符号の説明】
【００４８】
１００    ログイン支援システム
１０１    携帯端末
１０２    ＩＣカード
１０３    送受信装置
１０４    インターネット網
１０５    パソコン
１１０    ＩＣカード読取装置
【図１】
2008097210.tif 000003
【図２】
2008097210.tif 000004
【図３】
2008097210.tif 000005
【図４】
2008097210.tif 000006
【図５】
2008097210.tif 000007
【図６】
2008097210.tif 000008
【図７】
2008097210.tif 000009
【図８】
2008097210.tif 000010